(57)【特許請求の範囲】
【請求項１】
原稿読取位置に配設される透明部材と、
前記透明部材の下方に配設され、前記透明部材の上を搬送される原稿の画像情報を読み取る画像読取部と、
前記透明部材の上方に配設され、原稿を前記透明部材に案内する原稿案内部と、を備え、
前記原稿案内部は、原稿搬送方向と直交する幅方向に並んで配設される複数のガイド部を有し、
前記複数のガイド部は、前記幅方向の中央から両側に向かうに従い硬度が低くなる、
ことを特徴とする画像読取装置。
【請求項２】
原稿読取位置に配設される透明部材と、
前記透明部材の下方に配設され、前記透明部材の上を搬送される原稿の画像情報を読み取る画像読取部と、
前記透明部材の上方に配設され、原稿を前記透明部材に案内する原稿案内部と、を備え、
前記原稿案内部は、原稿搬送方向と直交する幅方向に並んで配設される複数のガイド部を有し、
前記複数のガイド部は、前記幅方向の中央から両側に向かうに従い硬度が高くなる、
ことを特徴とする画像読取装置。
【請求項３】
原稿読取位置に配設される透明部材と、
前記透明部材の下方に配設され、前記透明部材の上を搬送される原稿の画像情報を読み取る画像読取部と、
前記透明部材の上方に配設され、原稿を前記透明部材に案内する原稿案内部と、を備え、
前記原稿案内部は、原稿搬送方向と直交する幅方向に配設される第１のガイド部と第２のガイド部を有し、
前記第１のガイド部と前記第２のガイド部は、互いに硬度が異なる、
ことを特徴とする画像読取装置。
【請求項４】
前記第２のガイド部は、前記第１のガイド部よりも前記幅方向において外側に配置され、かつ前記第１のガイド部よりも硬度が低い、
ことを特徴とする請求項３に記載の画像読取装置。
【請求項５】
前記第２のガイド部は、前記第１のガイド部よりも前記幅方向において外側に配置され、かつ前記第１のガイド部よりも硬度が高い、
ことを特徴とする請求項３に記載の画像読取装置。
【請求項６】
原稿読取位置に配設される透明部材と、
前記透明部材の下方に配設され、前記透明部材の上を搬送される原稿の画像情報を読み取る画像読取部と、
前記透明部材の上方に配設され、原稿を前記透明部材に案内する原稿案内部と、を備え、
前記原稿案内部は、原稿搬送方向と直交する幅方向に並んで配設される複数のガイド部を有し、
前記複数のガイド部は、前記幅方向の中央から両側に向かうに従い厚さが薄くなる、
ことを特徴とする画像読取装置。
【請求項７】
原稿読取位置に配設される透明部材と、
前記透明部材の下方に配設され、前記透明部材の上を搬送される原稿の画像情報を読み取る画像読取部と、
前記透明部材の上方に配設され、原稿を前記透明部材に案内する原稿案内部と、を備え、
前記原稿案内部は、原稿搬送方向と直交する幅方向に並んで配設される複数のガイド部を備え、
前記複数のガイド部は、前記幅方向の中央から両側に向かうに従い厚さが厚くなる、
ことを特徴とする画像読取装置。
【請求項８】
原稿読取位置に配設される透明部材と、
前記透明部材の下方に配設され、前記透明部材の上を搬送される原稿の画像情報を読み取る画像読取部と、
前記透明部材の上方に配設され、原稿を前記透明部材に案内する原稿案内部と、を備え、
前記原稿案内部は、原稿搬送方向と直交する幅方向に配設される第１のガイド部と第２のガイド部を備え、
前記第１のガイド部と前記第２のガイド部は、互いに厚さが異なる、
ことを特徴とする画像読取装置。
【請求項９】
前記第２のガイド部は、前記第１のガイド部よりも前記幅方向において外側に配置され、かつ前記第１のガイド部よりも厚さが薄い、
ことを特徴とする請求項８に記載の画像読取装置。
【請求項１０】
前記第２のガイド部は、前記第１のガイド部よりも前記幅方向において外側に配置され、かつ前記第１のガイド部よりも厚さが厚い、
ことを特徴とする請求項８に記載の画像読取装置。
【発明の詳細な説明】
【技術分野】
【０００１】
本発明は、原稿の画像を読み取る画像読取装置に関する。
【背景技術】
【０００２】
従来、デジタル複写機等の画像形成装置においては、自動原稿搬送装置により搬送される原稿がプラテンガラスの上面を通過する際に、プラテンガラスの下方に配設された光学系で原稿の画像情報を読み取る画像読取装置が用いられている。画像読取装置は、プラテンガラス上面を通過する原稿に光を照射し、その反射光を検出して原稿の画像情報を読み取る。
【０００３】
ところで、自動原稿搬送装置により搬送される原稿は、搬送ガイド等によりプラテンガラス上に案内されるが、例えば、搬送された原稿が搬送ガイドからプラテンガラスに接触する際のショックが大きいと、読み取り画像に乱れを生じさせる場合がある。
【０００４】
これに対しては、プラテンガラスの上面までの原稿搬送路において原稿を上下方向から弾性的に挟み込んで、原稿がプラテンガラスの上面に向かって滑らかな一定軌道を描くように原稿を案内する技術が提案されている（特許文献１参照）。
【先行技術文献】
【特許文献】
【０００５】
【特許文献１】特開平１０−１３９２１１号公報
【発明の概要】
【発明が解決しようとする課題】
【０００６】
ここで、特許文献１に記載の技術は、原稿を挟持している間は滑らかに原稿を搬送することができるため読み取り画像の乱れは抑制される。しかしながら、例えば、原稿の後端がプラテンガラスの上面に接触する瞬間は、搬送外ガイドの厚みの分だけプラテンガラスとの段差があるため、原稿の後端がプラテンガラス上に着地する際には、読み取り画像の乱れを発生させるおそれがある。
【０００７】
そこで、本発明は、原稿の画像情報を読み取る際の読み取り画像の乱れの発生を抑制可能な画像読取装置を提供することを目的とする。
【課題を解決するための手段】
【０００９】
本発明は、画像読取装置において、原稿読取位置に配設される透明部材と、前記透明部材の下方に配設され、前記透明部材の上を搬送される原稿の画像情報を読み取る画像読取部と、前記透明部材の上方に配設され、原稿を前記透明部材に案内する原稿案内部と、を備え、前記原稿案内部は、原稿搬送方向と直交する幅方向に並んで配設される複数のガイド部を有し、前記複数のガイド部は、前記幅方向の中央から両側に向かうに従い硬度が低くなる、ことを特徴とする。
また、本発明は、画像読取装置において、原稿読取位置に配設される透明部材と、前記透明部材の下方に配設され、前記透明部材の上を搬送される原稿の画像情報を読み取る画像読取部と、前記透明部材の上方に配設され、原稿を前記透明部材に案内する原稿案内部と、を備え、前記原稿案内部は、原稿搬送方向と直交する幅方向に並んで配設される複数のガイド部を有し、前記複数のガイド部は、前記幅方向の中央から両側に向かうに従い硬度が高くなる、ことを特徴とする。
また、本発明は、画像読取装置において、原稿読取位置に配設される透明部材と、前記透明部材の下方に配設され、前記透明部材の上を搬送される原稿の画像情報を読み取る画像読取部と、前記透明部材の上方に配設され、原稿を前記透明部材に案内する原稿案内部と、を備え、前記原稿案内部は、原稿搬送方向と直交する幅方向に配設される第１のガイド部と第２のガイド部を有し、前記第１のガイド部と前記第２のガイド部は、互いに硬度が異なる、ことを特徴とする。
【００１０】
また、本発明は、画像読取装置において、原稿読取位置に配設される透明部材と、前記透明部材の下方に配設され、前記透明部材の上を搬送される原稿の画像情報を読み取る画像読取部と、前記透明部材の上方に配設され、原稿を前記透明部材に案内する原稿案内部と、を備え、前記原稿案内部は、原稿搬送方向と直交する幅方向に並んで配設される複数のガイド部を有し、前記複数のガイド部は、前記幅方向の中央から両側に向かうに従い厚さが薄くなる、ことを特徴とする。
また、本発明は、画像読取装置において、原稿読取位置に配設される透明部材と、前記透明部材の下方に配設され、前記透明部材の上を搬送される原稿の画像情報を読み取る画像読取部と、前記透明部材の上方に配設され、原稿を前記透明部材に案内する原稿案内部と、を備え、前記原稿案内部は、原稿搬送方向と直交する幅方向に並んで配設される複数のガイド部を備え、前記複数のガイド部は、前記幅方向の中央から両側に向かうに従い厚さが厚くなる、ことを特徴とする。
また、本発明は、画像読取装置において、原稿読取位置に配設される透明部材と、前記透明部材の下方に配設され、前記透明部材の上を搬送される原稿の画像情報を読み取る画像読取部と、前記透明部材の上方に配設され、原稿を前記透明部材に案内する原稿案内部と、を備え、前記原稿案内部は、原稿搬送方向と直交する幅方向に配設される第１のガイド部と第２のガイド部を備え、前記第１のガイド部と前記第２のガイド部は、互いに厚さが異なる、ことを特徴とする。
【発明の効果】
【００１１】
本発明によれば、原稿の画像情報を読み取る際の読み取り画像の乱れの発生を抑制することができる。
【図面の簡単な説明】
【００１２】
【図１】本発明の実施形態に係る画像読取装置の全体構造を模式的に示す断面図である。
【図２】図１に示す画像読取装置の原稿読取位置における構成を示す部分拡大断面図である。
【図３】本発明の第１実施形態に係る搬送外ガイドを示す斜視図である。
【図４】本発明の第２実施形態に係る搬送外ガイドを示す斜視図である。
【図５】本発明の第３実施形態に係る搬送外ガイドを示す斜視図である。
【発明を実施するための形態】
【００１３】
＜第１実施形態＞
本発明の第１実施形態に係る画像読取装置１について、図１から図３を参照しながら説明する。まず、第１実施形態に係る画像読取装置１の全体構成について、図１及び図２を参照しながら説明する。図１は、本発明の実施形態に係る画像読取装置１の全体構造を模式的に示す断面図である。図２は、図１に示す画像読取装置１の原稿読取位置における構成を示す部分拡大断面図である。
【００１４】
図１に示すように、画像読取装置１は、シート状の原稿Ｄを給送する原稿給送部２と、原稿給送部２の下流側に配設される透明ガイド部材としてのプラテンガラス１６１と、プラテンガラス１６１の下方に配設される画像読取部としてのリーダ部１５０とを備える。また、画像読取装置１は、原稿Ｄを固定的に載置する原稿台ガラス３と、を備える。
【００１５】
原稿給送部２は、原稿Ｄを積載する原稿トレイ４と、原稿トレイ４に積載された原稿Ｄを給送する給送ローラ５と、原稿を１枚ずつ分離する分離搬送ローラ８及び分離パッド６と、原稿Ｄの先端を揃えて搬送するレジストローラ対１１と、を備えている。また、原稿給送部２は、レジストローラ対１１の下流側に設けられ所定の原稿読取位置１００に案内する原稿案内部１２と、画像の読取りが終了した原稿Ｄを機外に排出する排出ローラ対１８と、排出ローラ対１８の下流側に設けられる排出部１０と、を備える。
【００１６】
原稿トレイ４は、原稿Ｄの幅方向にスライド自在に設けられた一対の幅方向規制板１９を備えており、一対の幅方向規制板１９が原稿トレイ４に積載される原稿Ｄの幅方向を規制することで原稿Ｄの給送時における搬送安定性を確保している。
【００１７】
給送ローラ５は、原稿トレイ４の上方に設けられており、作業者による原稿Ｄのセット作業を阻害しないように、図１に示す実線位置をホームポジションとしている。給送ローラ５は、原稿Ｄの給送動作が開始されると、ホームポジションから給送位置（図１に示す破線位置）に移動し、原稿Ｄの上面に当接して原稿Ｄを給送する。なお、給送ローラ５は、不図示のアームに軸支されており、アームを駆動することによりホームポジションから給送位置に移動するように構成されている。
【００１８】
分離搬送ローラ８は、給送ローラ５の下流側に設けられており、給送ローラ５の回転駆動に連動して対向配置された分離パッド６を押圧しながら回転することで、給送ローラ５により給送される原稿Ｄを１枚ずつ分離して搬送する。なお、分離パッド６は、分離搬送ローラ８よりも摩擦係数が若干小さいゴム材料等により形成されている。
【００１９】
レジストローラ対１１は、分離搬送ローラ８の下流に設けられており、分離搬送ローラ８にて１枚ずつ分離して搬送される原稿Ｄの先端をニップ部に突き当て、原稿Ｄにループを生じさせることにより原稿Ｄの先端を揃える。その後、レジストローラ対１１は、回転して原稿Ｄを原稿案内部１２に向かって搬送する。
【００２０】
原稿案内部１２は、プラテンガラス１６１上に位置するように配設されている。図２に示すように、原稿案内部１２は、リードローラ対１０１と、搬送外ガイド１０６と、第１プラテンローラ１０４と、第２プラテンローラ１０５と、白色板１０３ａを有する読取ガイド１０３と、ジャンプ台１６２と、リード排出ローラ対１０２と、を備えている。
【００２１】
リードローラ対１０１は、レジストローラ対１１により搬送される原稿Ｄを搬送外ガイド１０６に沿って搬送させるためのものであり、搬送外ガイド１０６は、リードローラ対１０１により搬送される原稿Ｄをプラテンガラス１６１上に案内する。なお、搬送外ガイド１０６については、後に詳しく説明する。
【００２２】
第１プラテンローラ１０４は、搬送外ガイド１０６の下流に設けられており、搬送外ガイド１０６に沿って搬送された原稿Ｄをプラテンガラス１６１上の原稿読取位置１００に案内する。読取ガイド１０３は、第１プラテンローラ１０４の下流に設けられており、第１プラテンローラ１０４によって原稿読取位置１００に案内された原稿Ｄを、プラテンガラス１６１に密着させた状態でプラテンガラス１６１に沿って案内する。第２プラテンローラ１０５は、読取ガイド１０３の下流に設けられており、読取ガイド１０３により案内され、画像情報の読み取りが終了した原稿Ｄを搬送する。
【００２３】
ジャンプ台１６２は、第２プラテンローラ１０５の下流側に設けられており、プラテンガラス１６１から原稿Ｄをすくい上げてリード排出ローラ対１０２に案内する。リード排出ローラ対１０２は、ジャンプ台１６２により案内された原稿Ｄを排出ローラ対１８に搬送する。
【００２４】
排出ローラ対１８は、リード排出ローラ対１０２の下流に設けられており、リード排出ローラ対１０２により搬送された原稿Ｄを機外に排出する。また、排出ローラ対１８は、原稿Ｄの両面を読み取る場合に、原稿Ｄをスイッチバックしてシートパス２０を介してレジストローラ対１１に搬送する。排出部１０は、排出ローラ対１８により排出され、画像の読み取りが終了した原稿Ｄを積載するように収容する。プラテンガラス１６１は、原稿読取位置１００に配設されており、原稿台ガラス３は、原稿Ｄを１枚ずつ固定的に載置する場所である。
【００２５】
リーダ部１５０は、プラテンガラス１６１及び原稿台ガラス３を保持するリーダ部本体１５０ａと、原稿Ｄに光を照射するランプ１５２と、ランプ１５２に照射された光に対応する原稿Ｄからの反射光を誘導する複数のミラー１５３，１５５，１５６と、を備える。また、リーダ部１５０は、複数のミラー１５３，１５５，１５６によって誘導された反射光を集光するレンズ１５７と、レンズ１５７で集光された反射光を光電変換して画像信号として出力するＣＣＤ１５８とを備えている。
【００２６】
リーダ部本体１５０ａは、プラテンガラス１６１及び原稿台ガラス３が開閉自在となるように原稿給送部２を支持すると共に、プラテンガラス１６１を介して原稿読取位置１００の下方にランプ１５２等が位置するようにランプ１５２等を収容している。
【００２７】
ランプ１５２及びミラー１５３は、第１光学台１５９に取り付けられており、ミラー１５５及びミラー１５６は、不図示の第２光学台に取り付けられている。第１光学台１５９及び第２光学台は、リーダ部本体１５０ａの内部に収容されている。また、第１光学台１５９及び第２光学台は、不図示のワイヤによって不図示のモータに結合されており、モータの回転駆動により原稿台ガラス３と平行（図１に示す矢印方向）に移動制御される。第１光学台１５９及び第２光学台は、不図示のポジションセンサにより検知される位置を基準として、モータを正回転又は逆回転することにより移動し、原稿台ガラス３に固定的に載置された原稿Ｄを光学的に走査する。ＣＣＤ１５８は、ミラー１５３，１５５，１５６を介してレンズ１５７に導かれ、レンズ１５７によってＣＣＤ１５８に集光された反射光を光電変換し、電子的な画像信号として出力する。
【００２８】
次に、リードローラ対１０１により搬送される原稿Ｄをプラテンガラス１６１上に案内する搬送外ガイド１０６について、図３を参照しながら説明する。図３は、本発明の第１実施形態に係る搬送外ガイド１０６を示す斜視図である。
【００２９】
図３に示すように、搬送外ガイド１０６は、原稿搬送方向と直交する幅方向に分割された複数のガイド部としてのガイド爪１０７ａ，１０７ｂ，１０７ｃ，１０７ｄを備えている。複数のガイド爪１０７ａ〜１０７ｄは、原稿Ｄをプラテンガラス１６１上に案内する。また、複数のガイド爪１０７ａ〜１０７ｄは、幅方向の中央に位置するガイド爪１０７ａが一番長くなるように形成されており、中央部に設けられたガイド爪１０７ａから両側に向かう程、原稿搬送方向における長さ（Ｌ）が短くなるように形成されている。具体的には、複数のガイド爪１０７ａ〜１０７ｄは、ガイド爪１０７ａ（Ｌ４）＞ガイド爪１０７ｂ（Ｌ３）＞ガイド爪１０７ｃ（Ｌ２）＞ガイド爪１０７ｄ（Ｌ１）となるように形成されている。
【００３０】
次に、第１実施形態に係る画像読取装置１の動作について説明する。作業者による原稿Ｄの画像読取指示がなされると、不図示のアームにより給送ローラ５が下降して原稿Ｄの上面に当接し、原稿Ｄを給送する。給送ローラ５により給送された原稿Ｄは、分離搬送ローラ８及び分離パッド６により１枚ずつ分離され、レジストローラ対１１に搬送される。レジストローラ対１１では、搬送された原稿Ｄの先端をニップ部に突き当て、原稿Ｄにループを生じさせることにより原稿Ｄの先端を揃える。先端が揃えられた原稿Ｄは、その後、レジストローラ対１１が回転することにより、リードローラ対１０１を介して搬送外ガイド１０６に沿ってプラテンガラス１６１上に搬送される。
【００３１】
ここで、搬送外ガイド１０６は、原稿搬送方向と直交する幅方向に分割された複数のガイド爪１０７ａ〜１０７ｄを備えている。そのため、搬送外ガイド１０６に搬送された原稿Ｄの後端は、複数のガイド爪１０７ａ〜１０７ｄを介してプラテンガラス１６１に着地する。そして、複数のガイド爪１０７ａ〜１０７ｄは、中央部に設けられたガイド爪１０７ａから両側に向かう程、原稿搬送方向における長さ（Ｌ）が短くなるように形成されている。そのため、原稿Ｄの後端は、幅方向の両側から順次プラテンガラス上に着地する。また、このとき複数のガイド爪１０７ａ〜１０７ｄは、原稿Ｄのコシにより原稿Ｄに押されてプラテンガラス１６１方向に撓んでプラテンガラス１６１との段差を小さくする。
【００３２】
搬送外ガイド１０６に沿ってプラテンガラス１６１上に搬送された原稿Ｄは、第１プラテンローラ１０４により、プラテンガラス１６１上の原稿読取位置１００に向かって搬送される。原稿読取位置１００に原稿Ｄが搬送されると、原稿読取位置１００上で原稿Ｄの画像がリーダ部１５０により読み取られる。リーダ部１５０での原稿Ｄの読み取りが完了すると、読み取りが終了した原稿Ｄは、第２プラテンローラ０１５により搬送され、リード排出ローラ対１０２を介して排出ローラ対１８に案内される。排出ローラ対１８に案内された原稿Ｄは、排出ローラ対１８により機外に排出され、排出部１０によって積載するように収容される。
【００３３】
なお、両面モードの場合には、排出ローラ対１８で排出を行わず、スイッチバックして、上方のシートパス２０に案内してレジストローラ対１１に向けて搬送する。レジストローラ対１１に到達すると上記と同様に原稿Ｄの裏面の読み取りが行われる。
【００３４】
このように、第１実施形態に係る画像読取装置１は、搬送外ガイド１０６のガイド爪１０７ａ〜１０７ｄが中央部から両側に向かう程、原稿搬送方向における長さ（Ｌ）が短くなるように形成されている。そのため、原稿Ｄの後端がプラテンガラス１６１に着地する際、幅方向の両端側から順次プラテンガラス１６１上に着地させることができる。これにより、プラテンガラス１６１上に着地する際の衝撃を軽減させることが可能になる。その結果、原稿の画像情報を読み取る際の読み取り画像の乱れの発生を抑制することができる。
【００３５】
また、第１実施形態に係る画像読取装置１は、搬送外ガイド１０６のガイド爪１０７ａ〜１０７ｄが幅方向に分割されている。言い換えると、短冊状のガイド爪が幅方向に並列に配置されている。そのため、１部材でガイド爪を形成するよりも、ガイド爪１０７ａ〜１０７ｄを撓みやすくすることができる。これにより、例えば、搬送される原稿Ｄに押されて原稿Ｄのコシによりプラテンガラス１６１方向に撓みやすくなり、プラテンガラス１６１との段差を小さくすることができる。その結果、プラテンガラス１６１上に着地する際の衝撃をより軽減させることができる。
【００３６】
＜第２実施形態＞
次に、本発明の第２実施形態に係る画像読取装置１Ａについて、図１援用すると共に、図４を参照しながら説明する。図４は、本発明の第２実施形態に係る搬送外ガイド２０６を示す斜視図である。第２実施形態に係る画像読取装置１Ａは、搬送外ガイドの形状が第１実施形態と相違する。そのため、第２実施形態においては、第１実施形態と相違する点、即ち、搬送外ガイドを中心に説明し、第１実施形態と同様の構成のものについては、同じ符号を付してその説明を省略する。なお、第２実施形態において、第１実施形態と同様の構成のものについては、第１実施形態と同様の効果を奏する。
【００３７】
図１に示すように、画像読取装置１Ａは、原稿給送部２Ａと、プラテンガラス１６１と、リーダ部１５０と、原稿台ガラス３と、を備えている。原稿給送部２Ａは、原稿トレイ４と、給送ローラ５と、分離搬送ローラ８及び分離パッド６と、レジストローラ対１１と、レジストローラ対１１の下流側に設けられ、原稿案内部１２Ａと、排出ローラ対１８と、排出部１０と、を備えている。
【００３８】
原稿案内部１２Ａは、リードローラ対１０１と、搬送外ガイド２０６と、第１プラテンローラ１０４と、第２プラテンローラ１０５と、白色板１０３ａを有する読取ガイド１０３と、ジャンプ台１６２と、リード排出ローラ対１０２と、を備えている。
【００３９】
図４に示すように、搬送外ガイド２０６は、原稿搬送方向と直交する幅方向に分割された複数のガイド部としてのガイド爪２０７ａ，２０７ｂ，２０７ｃ，２０７ｄを備えている。複数のガイド爪２０７ａ〜２０７ｄは、原稿Ｄをプラテンガラス１６１上に案内する。また、複数のガイド爪２０７ａ〜２０７ｄは、幅方向の中央に位置するガイド爪２０７ａが一番硬度の高い材料により形成されており、中央部に設けられたガイド爪２０７ａから両側に向かう程、硬度が低くなるように形成されている。具体的には、複数のガイド爪２０７ａ〜２０７ｄの硬度は、ガイド爪２０７ａ＞ガイド爪２０７ｂ＞ガイド爪２０７ｃ＞ガイド爪２０７ｄとなるように形成されている。
【００４０】
このように、第２実施形態に係る画像読取装置１Ａは、搬送外ガイド２０６のガイド爪２０７ａ〜２０７ｄが中央部から両側に向かう程、硬度が低くなるように形成されている。そのため、中央部から両側に向かう程、プラテンガラス１６１側に撓みやすくなる。その結果、原稿Ｄの後端がプラテンガラス１６１に着地する際、幅方向の両端側から順次プラテンガラス１６１上に着地させることができ、プラテンガラス１６１上に着地する際の衝撃を軽減させることが可能になる。
【００４１】
また、ガイド爪２０７ａ〜２０７ｄがプラテンガラス１６１側に撓むことにより、プラテンガラス１６１との段差を小さくすることが可能になる。これにより、プラテンガラス１６１上に着地する際の衝撃をより軽減させることができる。その結果、原稿の画像情報を読み取る際の読み取り画像の乱れの発生を抑制することができる。
【００４２】
＜第３実施形態＞
次に、本発明の第３実施形態に係る画像読取装置１Ｂについて、図１援用すると共に、図５を参照しながら説明する。図５は、本発明の第３実施形態に係る搬送外ガイド３０６を示す斜視図である。第３実施形態に係る画像読取装置１Ｂは、搬送外ガイドの形状が第１実施形態と相違する。そのため、第３実施形態においては、第１実施形態と相違する点、即ち、搬送外ガイドを中心に説明し、第１実施形態と同様の構成のものについては、同じ符号を付してその説明を省略する。なお、第３実施形態において、第１実施形態と同様の構成のものについては、第１実施形態と同様の効果を奏する。
【００４３】
図１に示すように、画像読取装置１Ｂは、原稿給送部２Ｂと、プラテンガラス１６１と、リーダ部１５０と、原稿台ガラス３と、を備えている。原稿給送部２Ｂは、原稿トレイ４と、給送ローラ５と、分離搬送ローラ８及び分離パッド６と、レジストローラ対１１と、レジストローラ対１１の下流側に設けられ、原稿案内部１２Ｂと、排出ローラ対１８と、排出部１０と、を備えている。
【００４４】
原稿案内部１２Ｂは、リードローラ対１０１と、搬送外ガイド３０６と、第１プラテンローラ１０４と、第２プラテンローラ１０５と、白色板１０３ａを有する読取ガイド１０３と、ジャンプ台１６２と、リード排出ローラ対１０２と、を備えている。
【００４５】
図５に示すように、搬送外ガイド３０６は、原稿搬送方向と直交する幅方向に分割された複数のガイド部としてのガイド爪３０７ａ，３０７ｂ，３０７ｃ，３０７ｄを備えている。複数のガイド爪３０７ａ〜３０７ｄは、原稿Ｄをプラテンガラス１６１上に案内する。また、複数のガイド爪３０７ａ〜３０７ｄは、幅方向の中央に位置するガイド爪３０７ａの厚さ（Ｔ）が一番厚くなるように形成されており、中央部に設けられたガイド爪３０７ａから両側に向かう程、厚さが薄くなるように形成されている。具体的には、複数のガイド爪３０７ａ〜３０７ｄの厚さは、ガイド爪３０７ａ（Ｔ４）＞ガイド爪３０７ｂ（Ｔ３）＞ガイド爪３０７ｃ（Ｔ２）＞ガイド爪３０７ｄ（Ｔ１）となるように形成されている。
【００４６】
このように、第３実施形態に係る画像読取装置１Ｂは、搬送外ガイド３０６のガイド爪３０７ａ〜３０７ｄが中央部から両側に向かう程、厚さ（Ｔ）が薄くなるように形成されている。そのため、中央部から両側に向かう程、プラテンガラス１６１側に撓みやすくなる。その結果、原稿Ｄの後端がプラテンガラス１６１に着地する際、幅方向の両端側から順次プラテンガラス１６１上に着地させることができ、プラテンガラス１６１上に着地する際の衝撃を軽減させることが可能になる。
【００４７】
また、ガイド爪３０７ａ〜３０７ｄがプラテンガラス１６１側に撓むことにより、プラテンガラス１６１との段差を小さくすることが可能になり、プラテンガラス１６１上に着地する際の衝撃をより軽減させることができる。その結果、原稿の画像情報を読み取る際の読み取り画像の乱れの発生を抑制することができる。
【００４８】
以上、本発明の実施形態について説明したが、本発明は上述した実施形態に限定されるものではない。また、本発明の実施形態に記載された効果は、本発明から生じる最も好適な効果を列挙したに過ぎず、本発明による効果は、本発明の実施形態に記載されたものに限定されない。
【００４９】
例えば、第１実施形態においては、搬送外ガイド１０６に設けられる複数のガイド爪１０７ａ〜１０７ｄは、原稿搬送方向と直交する幅方向の中央から両側に向かって原稿搬送方向の長さが短くなるように形成したが、本発明においてはこれに限定されない。複数のガイド爪１０７ａ〜１０７ｄは、幅方向の中央から両側に向かって原稿搬送方向の長さが長くなるように形成してもよい。複数のガイド爪１０７ａ〜１０７ｄは、中央部又は両側から順次、原稿Ｄがプラテンガラス１９１上に接地する構成であればよい。
【００５０】
また、第２実施形態においては、搬送外ガイド２０６に設けられる複数のガイド爪２０７ａ〜２０７ｄは、原稿搬送方向と直交する幅方向の中央から両側に向かう程、硬度の低い材料により形成したが、本発明においてはこれに限定されない。複数のガイド爪２０７ａ〜２０７ｄは、幅方向の中央から両側に向かう程、硬度の高い材料で形成してもよい。複数のガイド爪２０７ａ〜２０７ｄは、中央に向かう程プラテンガラス１６１に向かう撓み量が大きくなり、搬送される原稿Ｄに押されて撓むことで、プラテンガラスとの段差が小さくなる構成であればよい。
【００５１】
また、第３実施形態においては、搬送外ガイド３０６に設けられる複数のガイド爪３０７ａ〜３０７ｄは、原稿搬送方向と直交する幅方向の中央から両側に向かう程、厚さが薄くなるように形成したが、本発明においてはこれに限定されない。複数のガイド爪３０７ａ〜３０７ｄは、幅方向の中央から両側に向かう程、厚さが厚くなるように形成してもよい。複数のガイド爪３０７ａ〜３０７ｄは、中央に向かう程プラテンガラス１６１に向かう撓み量が大きくなり、搬送される原稿Ｄに押されて撓むことで、プラテンガラスとの段差が小さくなる構成であればよい。
【符号の説明】
【００５２】
１，１Ａ，１Ｂ    画像読取装置
２，２Ａ，２Ｂ    原稿給送部
１２，１２Ａ，１２Ｂ    原稿案内部
１００    原稿読取位置
１０６    搬送外ガイド（搬送ガイド）
１０７ａ，１０７ｂ，１０７ｃ，１０７ｄ    ガイド爪（ガイド部）
１５０    リーダ部（画像読取部）
１６１    プラテンガラス（透明ガイド部材）
２０６    搬送外ガイド（搬送ガイド）
２０７ａ，２０７ｂ，２０７ｃ，２０７ｄ    ガイド爪（ガイド部）
３０６    搬送外ガイド（搬送ガイド）
３０７ａ，３０７ｂ，３０７ｃ，３０７ｄ    ガイド爪（ガイド部）
Ｄ    原稿
【図１】
0005963401.tif 000002
【図２】
0005963401.tif 000003
【図３】
0005963401.tif 000004
【図４】
0005963401.tif 000005
【図５】
0005963401.tif 000006